(57)【要約】【課題】地中水と地表水を同時に排水して水位を調整することができる水田水位調整システムを提供する。【解決手段】水田の地中に埋設した暗渠排水管11Ａと水田の水を外部に排水する外部排水管14がそれぞれ接続される水田用暗渠排水桝であって、平面略方形で有底な下桝体２と、この下桝体２の上部に設けられ下桝体２と平面が略同形な上桝体３と、を有する桝本体１と、下桝体２の側板５Ｆに設けられ暗渠排水管11Ａを接続する暗渠排水口12と、下桝体２の他の側板５Ｂに設けられ外部排水管14を接続する外部排水口15と、上桝体３の側板６Ｆに設けられ上部が開口し、且つ水田の地表水に臨んで設けられる上開口部21と、この上開口部21に設けられた水位調節用の堰板と、桝本体１内において暗渠排水管11Ａに接続する縦方向の水位調整用管43とを備える。【選択図】図１
0003168683.tif 000002
【実用新案登録請求の範囲】
【請求項１】
水田の地中に埋設した暗渠排水管と水田の水を外部に排水する外部排水管がそれぞれ接続されるコンクリート製の水田用暗渠排水桝であって、
平面略方形で有底な下桝体と、この下桝体の上部に設けられ前記下桝体と平面が略同形な上桝体と、を有する桝本体と、
前記下桝体の側板に設けられ前記暗渠排水管を接続する暗渠排水口と、
前記下桝体の他の側板に設けられ前記外部排水管を接続する外部排水口と、
前記上桝体の側板に設けられ上部が開口し、且つ前記水田の地表水に臨んで設けられる上開口部と、
この上開口部に設けられた水位調節用の堰板と、
を備えることを特徴とする水田用暗渠排水桝。
【請求項２】
前記暗渠排水口に打ち抜き用薄肉部を設けたことを特徴とする請求項１記載の水田用暗渠排水桝。
【請求項３】
前記上開口部を前記上桝体の前側板に設け、前記暗渠排水口を前記下桝体の前側板に設けると共に、前記外部排水口を前記下桝体の後側板に設け、前記前側板と後側板との間で前記桝本体の内部を前後を仕切る仕切り板を配置し、前記仕切り板の両側縁を挿入する縦溝部を前記桝本体の左右側板の内面に設け、前記仕切り板の下部には前記暗渠排水口より小径な仕切り排水口を設けたことを特徴とする請求項１又は２記載の水田用暗渠排水桝。
【請求項４】
請求項１〜３のいずれか１項に記載の水田用暗渠排水桝を用いた水田用水位調整システムにおいて、前記暗渠排水口に前記暗渠排水管を接続し、前記桝本体内において前記暗渠排水管に縦方向の水位調整用管を着脱可能に接続し、前記外部排水口に前記外部排水管を接続したことを特徴とする水田用水位調整システム。
【請求項５】
請求項３項に記載の水田用暗渠排水桝を用いた水田用水位調整システムにおいて、前記暗渠排水口に前記暗渠排水管を接続し、前記桝本体内において前記暗渠排水管に縦方向の水位調整用管を着脱可能に接続し、前記外部排水口に前記外部排水管を接続し、前記上桝体の前側板に前記上開口部を設け、前記上開口部と前記水位調整用管の上端開口が左右に位置をずらして配置されていることを特徴とする水田用水位調整システム。
【請求項６】
前記下桝体の対向する前，後側板の内面間及び左，右側板の内面の間隔は、前記暗渠排水口の直径の３倍以上であり、前記仕切り板は前記前側板より後側板に近い位置に配置され、前記水位調整用管の上端は前記上桝体の上端より低いと共に前記上桝体の下端より高く、且つ前記水位調整用管の上端は前記上桝体の上端側に位置し、前記仕切り板の上端は前記水位調整用管の上端より低いと共に前記上桝体の下端より高く、且つ前記仕切り板の上端は前記上桝体の上端側に位置することを特徴とする請求項５記載の水田用水位調整システム。
【請求項７】
前記暗渠排水管が前記透水性を有する素焼きの土管であり、この土管の一端は長さ方向の溝部を円周方向に複数有し、前記土管の他端に前記一端を挿入接続する受け口を設け、この受け口内に前記一端を挿入接続したことを特徴とする請求項６記載の水田用水位調整システム。
【考案の詳細な説明】
【技術分野】
【０００１】
本考案は、水田用暗渠排水桝と水田水位調整システムに係り、特に水田の水位を調整する水田用暗渠排水桝と水田水位調整システムに関する。
【背景技術】
【０００２】
従来、この種のものとして、地中に暗渠排水パイプを埋設し、排水桝は大径のパイプからなる桝本体を鉛直方向に設置したものであって、桝本体の内部には、桝本体よりも小径のパイプからなる水位設定器が設けられ、この水位設定器に前記暗渠排水パイプを接続し、前記水位設定器の上端部は圃場の設定水位に応じて上下位置が調節可能な状態に形成された暗渠排水装置（例えば特許文献１）が知られている。
【０００３】
上記暗渠排水装置では、暗渠排水パイプの一端が給水路に接続され、給水路を流れる用水は、給水路から暗渠排水パイプに供給されて暗渠排水パイプから圃場の地下に供給される。
【先行技術文献】
【特許文献】
【０００４】
【特許文献１】特開２００７−１４２０９号公報
【考案の開示】
【考案が解決しようとする課題】
【０００５】
上記特許文献１の暗渠排水装置では、水田の地下水を排水することができるが、水田の地表水を排出するためには別個の排水装置が必要となり、不便であり、地下水用と地表水用の排水装置を設けると設備費用が嵩む問題がある。
【０００６】
また、上記特許文献１では、暗渠排水パイプに合成樹脂製の有孔管を用いているため、土などが浸入して目詰まりを起こし易く、定期的に有孔管に通水して目詰まりを防止する必要がある。
【０００７】
ところで、集中豪雨などにより水田の水位が上昇し、その水田の水をそのまま排水すると、河川の雨量が増加する問題があり、従来の水位調整装置では僅かな貯水能力しかなかった。
【０００８】
そこで、本考案は、上記問題点を解決するものであり、地中水と地表水を同時に排水して水位を調整することができる水田用暗渠排水桝と水田水位調整システムを提供することを目的とし、加えて、貯水能力を備えた水田用暗渠排水桝と水田水位調整システムを提供することを目的とする。
【課題を解決するための手段】
【０００９】
請求項１の考案は、水田の地中に埋設した暗渠排水管と水田の水を外部に排水する外部排水管がそれぞれ接続されるコンクリート製の水田用暗渠排水桝であって、平面略方形で有底な下桝体と、この下桝体の上部に設けられ前記下桝体と平面が略同形な上桝体と、を有する桝本体と、前記下桝体の側板に設けられ前記暗渠排水管を接続する暗渠排水口と、前記下桝体の他の側板に設けられ前記外部排水管を接続する外部排水口と、前記上桝体の側板に設けられ上部が開口し、且つ前記水田の地表水に臨んで設けられる上開口部と、この上開口部に設けられた水位調節用の堰板と、を備えることを特徴とする。
【００１０】
請求項２の考案は、前記暗渠排水口に打ち抜き用薄肉部を設けたことを特徴とする。
【００１１】
請求項３の考案は、前記上開口部を前記上桝体の前側板に設け、前記暗渠排水口を前記下桝体の前側板に設けると共に、前記外部排水口を前記下桝体の後側板に設け、前記前側板と後側板との間で前記桝本体の内部を前後を仕切る仕切り板を配置し、前記仕切り板の両側縁を挿入する縦溝部を前記桝本体の左右側板の内面に設け、前記仕切り板の下部には前記暗渠排水口より小径な仕切り排水口を設けたことを特徴とする。
【００１２】
請求項４の考案は、請求項１〜３のいずれか１項に記載の水田用暗渠排水桝を用いた水田用水位調整システムにおいて、前記暗渠排水口に前記暗渠排水管を接続し、前記桝本体内において前記暗渠排水管に縦方向の水位調整用管を着脱可能に接続し、前記外部排水口に前記外部排水管を接続したことを特徴とする。
【００１３】
請求項５の考案は、請求項３項に記載の水田用暗渠排水桝を用いた水田用水位調整システムにおいて、前記暗渠排水口に前記暗渠排水管を接続し、前記桝本体内において前記暗渠排水管に縦方向の水位調整用管を着脱可能に接続し、前記外部排水口に前記外部排水管を接続し、前記上桝体の前側板に前記上開口部を設け、前記上開口部と前記水位調整用管の上端開口が左右に位置をずらして配置されていることを特徴とする。
【００１４】
請求項６の考案は、前記下桝体の対向する前，後側板の内面間及び左，右側板の内面の間隔は、前記暗渠排水口の直径の３倍以上であり、前記仕切り板は前記前側板より後側板に近い位置に配置され、前記水位調整用管の上端は前記上桝体の上端より低いと共に前記上桝体の下端より高く、且つ前記水位調整用管の上端は前記上桝体の上端側に位置し、前記仕切り板の上端は前記水位調整用管の上端より低いと共に前記上桝体の下端より高く、且つ前記仕切り板の上端は前記上桝体の上端側に位置することを特徴とする。
【００１５】
請求項７の考案は、前記暗渠排水管が前記透水性を有する素焼きの土管であり、この土管の一端は長さ方向の溝部を円周方向に複数有し、前記土管の他端に前記一端を挿入接続する受け口を設け、この受け口内に前記一端を挿入接続したことを特徴とする。
【考案の効果】
【００１６】
請求項１の考案によれば、暗渠排水口に暗渠排水管を接続し、外部排水口に外部排水管を接続し、地中水を暗渠排水管により桝本体内に導き、外部排水管から外部に排水し、また、地表水を上開口部から桝本体内に導き、外部排水管から外部に排水し、この際、堰板により水田の地表水の水位を調整することができ、このように一つの排水桝を用いて地中水と地表水の排水を行うことができる。また、水田において下桝体と上桝体とを組み立てて桝本体を設置することができる。
【００１７】
請求項２の考案によれば、打ち抜き用薄肉部を打ち破って暗渠排水口を使用することができる。
【００１８】
請求項３の考案によれば、桝本体の前後を仕切り板により仕切ることにより、上開口部と暗渠排水口とから流入した水が、仕切り排水口を通って排出されるため、仕切り板の前側に水を貯めることができる。
【００１９】
請求項４の考案によれば、水位調整用管の高さにより水田の地下水位を調整することができ、また、水位調整用管を外せば、地下水位を下げることができ、さらに、堰板の高さを調整することにより、水田の地表水を直接排水してその水位を調整することができる。
【００２０】
請求項５の考案によれば、上開口部から水田の地表水を桝本体に導く際、上開口部からの水が水位調整用管の上部開口に入ることを抑制できるため、水位調整用管からの排水を安定して行うことができる。
【００２１】
請求項６の考案によれば、側板の間隔が暗渠排水口の直径の３倍以上であるから、水田の水に対して保水量を確保することができる。また、仕切り板の上端は上桝体の上端より低いから、溜まった水が桝本体の上端からオーバーフローすることがなく、さらに、仕切り板の上を越えて水が排水されるから、水位調整用管における排水を確保することができる。
【００２２】
請求項７の考案によれば、受け口と一端の溝部との間から地中水を土管内に導き、地中水を良好に排水することができる。
【図面の簡単な説明】
【００２３】
【図１】本考案の実施例１を示す斜視図である。
【図２】同上、暗渠排水口箇所を断面にした桝本体の断面図である。
【図３】同上、外部排水口箇所を断面にした桝本体の断面図である。
【図４】同上、桝本体の正面図である。
【図５】同上、桝本体の側面図である。
【図６】同上、桝本体の平面図である。
【図７】同上、設置状態を示す断面図である。
【図８】同上、一部を断面にした暗渠排水管の側面図である。
【図９】同上、暗渠排水管の要部の断面図である。
【図１０】同上、溝部及び縦溝部の断面図である。
【考案を実施するための形態】
【００２４】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なる新規な水田用暗渠排水桝と水田水位調整システムを採用することにより、従来にない水田用暗渠排水桝と水田水位調整システムが得られ、その水田用暗渠排水桝と水田水位調整システムについて記述する。
【実施例１】
【００２５】
以下、本考案の実施例を添付図面を参照して説明する。図１〜図１０は本考案の実施例１を示し、同図に示すように、本実施例の水田水位調整システムに用いる水田用暗渠排水桝Ｍ（以下、排水桝という）の桝本体１は、平面略方形の下桝体２と、該下桝体２と平面形状が略等しい上桝体３とを重ねて形成され、それら下桝体２と上桝体３はプレキャストコンクリート製品である。前記下桝体２は、底板４と、前側板５Ｆ，後側板５Ｂ，左側板５Ｌと右側板５Ｒを備え、それら側板５Ｆ，５Ｂ，５Ｌ，５Ｗは内面を傾斜して上方に向かって薄くなるように形成されている。また、前記上桝体３は、前側板６Ｆ，後側板６Ｂ，左側板６Ｌと右側板６Ｒを備え、それら側板（そくばん）６Ｆ，６Ｂ，６Ｌ，６Ｗは内面を傾斜して上方に向かって薄くなるように形成され、下桝体２の上端と上桝体３の下端で厚さが同一になるように形成されている。尚、高さの異なる上桝体３を用意することにより、桝本体１における貯水量を調整することができる。
【００２６】
前記下桝体２の前側板５Ｆには、暗渠排水管11，11Ａを接続する暗渠排水口12が設けられ、この暗渠排水口12には打ち抜き用の薄肉部13が設けられ、この薄肉部13の外面側周囲にはテーパー部13Ａが設けられている。また、前記下桝体２の後側板５Ｂには、外部排水管14を接続する外部排水口15が開設され、この外部排水口15の外面側周囲にはテーパー部16Ａが設けられている。さらに、前記暗渠排水口12は右側に配置され、これとは逆に前記外部排水口15は左側に配置されている。そして、下桝体２を工場で製造した後、前記薄肉部13を破って暗渠排水口12を形成する。尚、打ち抜き用の薄肉部13を設けずに、暗渠排水口12を初めから開設してもよい。
【００２７】
また、本実施例では、桝本体１の貯水量を確保するため、前記前，後側板５Ｆ，５Ｂの内面間の間隔と、前記左，右側板５Ｌ，５Ｒの内面間の間隔を前記暗渠排水口12の直径の３倍以上としている。
【００２８】
前記上桝体３の前側板６Ｆには、左側に上開口部21が形成されている。この上開口部21は上部が開口し、両側縁が上部から下に向かって幅狭になるように形成されており、それら両側縁には、堰板22の両側を嵌める溝部23，23が形成されている。そして、上桝体３の上部を地上に出した状態で、前記桝本体１が水田101に埋設され、前記上開口部21は水田101の地表水102に臨んで配置され、前記溝部23，23間には複数の堰板22，22・・・が嵌め込まれ、嵌め込んだ堰板22の高さにより、水田101の地表水102の水位を調整することができる。
【００２９】
前記暗渠排水口12には、合成樹脂製の暗渠排水管11Ａを連結し、この暗渠排水管11Ａは桝本体１の外部に受け口11Ｂを有し、前記暗渠排水管11Ａに素焼きの土管からなる暗渠排水管11を接続する。この暗渠排水管11は、直管部31の一端に挿し口32を有すると共に、他端に受け口33を有し、前記直管部31の外周には、長さ方向の溝部34が円周方向等間隔に複数設けられている。そして、前記受け口11Ｂに挿し口32を挿入して暗渠排水管11Ａに暗渠排水管11が接続され、この暗渠排水管11の受け口33に挿し口32を挿入して複数の暗渠排水管11，11が水田101の地中103に埋設される。
【００３０】
また、前記暗渠排水管11Ａの内端には、合成樹脂製の曲管41が接続され、この曲管41の上端に受け口42を形成し、この受け口42に合成樹脂製の水位調整用管43の下端を着脱可能に接続しており、その水位調整用管43の上端43Ｊの開口を桝本体１の上端より下方で前記上開口部21の高さ範囲に設けており、前記上端43Ｊの高さにより水田101の地表水102の水位（地下水位）を設定することができる。この場合、長さの異なる水位調整用管43を用いて地下水位を設定する。また、水位調整用管43を外せば、曲管41の上端が地下水位となる。
【００３１】
図４に示すように、前記前側板６Ｆの左側に前記上開口部21を設け、記暗渠排水口12を前側板５Ｆの右側に配置することにより、上開口部21から桝本体１に流れ込んだ水が、水位調整用管43の上端43Ｊの開口に向かう量が少なくなるという効果が得られる
前記外部渠排水口15には、合成樹脂製の前記外部排水管14を連結し、この外部排水管14は水田101の外部に位置する排水路46に接続されている。尚、図中47は畦畔であり、図７においては、上開口部21が地表水102に臨む位置で畦畔47に桝本体１を埋設し、桝本体１の上端は畦畔47の上面より低い凹部に位置する。
【００３２】
前記桝本体１の左，右側板５Ｌ，６Ｌ，５Ｒ，６Ｒの内面には、上下に連続して縦溝部51，51を設け、これら縦溝部51，51の両側縁を挿入して仕切り板52が配置され、この仕切り板52は、図６などに示すように、前記前側板５Ｆ，６Ｆと後側板５Ｂ，６Ｂの間で前記桝本体１の内部を前後に仕切り、仕切られた前側に前記水位調整用管43が位置する。また、前記仕切り板52の下部には、仕切り排水口53が設けられ、この仕切り排水口53は前記水位調整用管43の内径より小さく形成されている。また、装着状態で、前記水位調整用管43の上端43Ｊは前記上桝体３の上端より低く、前記仕切り板52の上端52Ｊは前記水位調整用管43の上端43Ｊより低い位置にある。そして、仕切り板52の上端52Ｊは前記水位調整用管43の上端43Ｊの高さの差を１００〜１５０ミリメートルとすることが好ましい。
【００３３】
尚、図１０に示すように、溝部23及び縦溝部51の形状は外部側に拡大する等脚台形であり、堰板22及び仕切り板52の縁を位置決めし易くなっている。
【００３４】
このように本実施例では、請求項１に対応して、水田101の地中103に埋設した暗渠排水管11，11Ａと水田101の水を外部に排水する外部排水管14がそれぞれ接続されるコンクリート製の水田用暗渠排水桝であって、平面略方形で有底な下桝体２と、この下桝体２の上部に設けられ下桝体２と平面が略同形な上桝体３と、を有する桝本体１と、下桝体２の側板５Ｆに設けられ暗渠排水管11Ａを接続する暗渠排水口12と、下桝体２の他の側板５Ｂに設けられ外部排水管14を接続する外部排水口15と、上桝体３の側板６Ｆに設けられ上部が開口し、且つ水田101の地表水102に臨んで設けられる上開口部21と、この上開口部21に設けられた水位調節用の堰板22と、を備えるから、暗渠排水口12に暗渠排水管11Ａ，11を接続し、外部排水口15に外部排水管14を接続し、地中水を暗渠排水管11により桝本体１内に導き、外部排水管14から外部に排水し、また、地表水102を上開口部21から桝本体１内に導き、外部排水管14から外部に排水し、この際、堰板22により水田101の地表水102の水位を調整することができ、このように一つの排水桝１を用いて地中水と地表水102の排水を行うことができる。また、水田101において下桝体２と上桝体３とを組み立てて桝本体１を設置することができる。
【００３５】
このように本実施例では、請求項２に対応して、暗渠排水口12に打ち抜き用薄肉部13を設けたから、打ち抜き用薄肉部13を打ち破って暗渠排水口12を使用することができる。
【００３６】
このように本実施例では、請求項３に対応して、上開口部21を上桝体３の前側板６Ｆに設け、暗渠排水口12を下桝体２の前側板５Ｆに設けると共に、外部排水口15を下桝体２の後側板５Ｂに設け、前側板と後側板との間で桝本体１の内部を前後を仕切る仕切り板52を配置し、仕切り板52の両側縁を挿入する縦溝部51，51を桝本体１の左右側板の内面に設け、仕切り板52の下部には暗渠排水口12より小径な仕切り排水口53のみを設けたから、桝本体１の前後を仕切り板52により仕切ることにより、上開口部21と暗渠排水口12とから流入した水が、小径な仕切り排水口53を通って排出されるため、仕切り板52の前側に水を貯めることができる。
【００３７】
このように本実施例では、請求項４に対応して、請求項１〜３のいずれか１項に記載の水田用暗渠排水桝Ｍを用いた水田用水位調整装置において、暗渠排水口12に暗渠排水管11Ａを接続し、桝本体１内において暗渠排水管11Ａに縦方向の水位調整用管43を着脱可能に接続し、外部排水口15に外部排水管14を接続したから、水位調整用管43の高さにより水田101の地下水位を調整することができ、また、水位調整用管43を外せば、地中103の水位を下げることができ、さらに、堰板22の高さを調整することにより、水田101の地表水102を直接排水してその水位を調整することができる。
【００３８】
このように本実施例では、請求項５に対応して、請求項３項に記載の水田用暗渠排水桝を用いた水田用水位調整システムにおいて、暗渠排水口12に暗渠排水管11Ａを接続し、桝本体１内において暗渠排水管11Ａに縦方向の水位調整用管43を着脱可能に接続し、外部排水口15に外部排水管14を接続し、上桝体３の前側板６Ｆに上開口部21を設け、上開口部21と水位調整用管43の上端43Ｊの開口が左右に位置をずらして配置されているから、上開口部21から水田101の地表水102を桝本体１に導く際、上開口部21からの水が水位調整用管43の上端開口に入ることを抑制できるため、水位調整用管43からの排水を安定して行うことがきる。
【００３９】
このように本実施例では、請求項６に対応して、下桝体２の対向する前，後側板５Ｆ，５Ｂの内面間及び左，右側板５Ｌ，５Ｒの内面の間隔は、暗渠排水口12の直径の３倍以上であり、水位調整用管43の上端43Ｊは上桝体３の上端より低いと共に前記上桝体３の下端より高く、且つ水位調整用管43の上端43Ｊは上桝体３の下端より上桝体３の上端側に位置し、仕切り板52の上端52Ｊは水位調整用管43の上端43Ｊより低いと共に上桝体３の下端より高く、且つ仕切り板43の上端43Ｊは上桝体３の下端より上桝体３の上端側に位置するから、側板の間隔が暗渠排水口12の直径の３倍以上であるから、水田101の水に対して保水量を確保することができる。また、仕切り板52の上端52Ｊは上桝体３の上端より低いから、溜まった水が桝本体１の上端からオーバーフローすることがなく、さらに、仕切り板52の上を越えて水が排水されるから、水位調整用管43における排水を確保することができる。
【００４０】
このように本実施例では、請求項７に対応して、暗渠排水管11が透水性を有する素焼きの土管であり、この土管の一端は長さ方向の溝部34を円周方向に複数有し、土管の他端に一端を挿入接続する受け口33を設け、この受け口内に一端である挿し口32を挿入接続したから、受け口33と一端の溝部34との間から地中水を土管内に導き、地中水を良好に排水することができる。
【００４１】
尚、本考案は、本実施例に限定されるものではなく、本考案の要旨の範囲内で種々の変形実施が可能である。
【符号の説明】
【００４２】
Ｍ  水田用暗渠排水桝
１  桝本体
２  下桝体
３  上桝体
５  側板
６  側板
11  暗渠排水管
11Ａ  暗渠排水管
12  暗渠排水口
13  薄肉部
14  外部排水管
15  外部排水口
16  薄肉部
21  上開口部
22  堰板
32  挿し口
33  受け口
34  溝部
43  水位調整用管
43Ｊ  上端
46  排水路
47  畦畔
51  縦溝部
52  仕切り板
52Ｊ  上端
53  仕切り排水口
101  水田
102  地表水
103  地中
【図１】
0003168683.tif 000003
【図２】
0003168683.tif 000004
【図３】
0003168683.tif 000005
【図４】
0003168683.tif 000006
【図５】
0003168683.tif 000007
【図６】
0003168683.tif 000008
【図７】
0003168683.tif 000009
【図８】
0003168683.tif 000010
【図９】
0003168683.tif 000011
【図１０】
0003168683.tif 000012